(57)【要約】【課題】複数の印刷領域（被印刷物）それぞれに対して互いに同じ画像あるいは異なる画像の印刷を施す場合に、より好適に印刷でき得る印刷システムを提供する。【解決手段】互いに同一形状である複数の印刷領域６２それぞれに対して画像の印刷を施す印刷システムであって、ユーザからの指示を受け付けるＵＩ部と、前記ＵＩ部を介して入力されたユーザの指示に基づいて、前記印刷領域６２への印刷処理を行う印刷手段と、を備え、前記ＵＩ部は、位置補正を行う印刷領域６２と、その補正量および補正方向の指示を受け付け、前記印刷手段は、前記ＵＩ部を介して指示された印刷領域６２の位置を、指示された補正量および補正方向に応じて補正して、印刷処理を施す。【選択図】図５
0003174681.tif 000002
【実用新案登録請求の範囲】
【請求項１】
互いに同一形状である複数の印刷領域それぞれに対して画像の印刷を施す印刷システムであって、
ユーザからの指示を受け付けるＵＩ部と、
前記ＵＩ部を介して入力されたユーザの指示に基づいて、前記印刷領域への印刷処理を行う印刷手段と、
を備え、
前記ＵＩ部は、位置補正を行う印刷領域と、その補正量および補正方向の指示を受け付け、
前記印刷手段は、前記ＵＩ部を介して指示された印刷領域の位置を、指示された補正量および補正方向に応じて補正して、印刷処理を施す、
ことを特徴とする印刷システム。
【請求項２】
請求項１に記載の印刷システムであって、
前記ＵＩ部は、さらに、校正用印刷の実行指示も受け付け、
前記印刷手段は、前記ＵＩ部を介して前記校正用印刷の実行指示が入力された場合、前記複数の印刷領域それぞれに対して、印刷領域の位置を示す校正用画像の印刷を施す、
ことを特徴とする印刷システム。
【請求項３】
請求項１または２に記載の印刷システムであって、
前記複数の印刷領域は、２以上のグループに分割されており、
前記ＵＩ部は、印刷領域の位置の補正を行うグループと、その補正量および補正方向の入力を受け付け、
前記印刷手段は、前記ＵＩ部を介して指定されたグループに属する全ての印刷領域への印刷位置を、指定された補正量および補正方向に応じて補正して、印刷処理を施す、
ことを特徴とする印刷システム。
【請求項４】
請求項３に記載の印刷システムであって、
前記複数の印刷領域は、被印刷物がセットされる印刷トレイの進退方向と平行な対象軸を中心として線対称に配置されるとともに、前記対象軸を境界として二つのグループに分割されている、
ことを特徴とする印刷システム。
【請求項５】
請求項１から４のいずれか1項に記載の印刷システムであって、
前記ＵＩ部は、さらに、サイズの補正を行う印刷領域と、その補正量および補正方向の指定を受け付け、
前記印刷手段は、前記ＵＩ部を介して指定された印刷領域への印刷画像のサイズを、指定された補正量および補正方向に応じて補正して、印刷処理を施す、
ことを特徴とする印刷システム。
【考案の詳細な説明】
【技術分野】
【０００１】
本考案は、互いに同一形状である複数の印刷領域それぞれに対して、互いに同じ画像あるいは異なる画像の印刷を施す印刷システムに関する。
【背景技術】
【０００２】
多くの印刷装置では、装置内における被印刷物の位置は予め規定されており、この規定された位置を基準として画像の印刷が行われる。例えば、円形の光ディスクに印刷する際には、光ディスクは、装置に設けられた印刷トレイ上の円形の凹部にセットされる。そして、この円形凹部の中心が印刷画像の中心になるように、画像印刷が行われる。
【０００３】
ただし、装置における各種機構の組み付け誤差などに起因して、実際に被印刷物がセットされる位置と、設計上のセット位置がずれることがある。この場合、印刷画像が、被印刷物に対してずれて印刷されてしまい、見栄えの低下が生じる。
【０００４】
そこで、従来から、装置ごとに微妙に異なる誤差を吸収するために、印刷位置を補正する技術が提案されている。例えば、特許文献１には、ユーザから、印刷位置のずれ量の入力を受け付け、入力されたずれ量を相殺するように印刷位置を補正して印刷する技術が開示されている。また、特許文献１には、この印刷位置のずれ量の測定に適した形状を、テストパターンとして印刷することも開示されている。かかる技術によれば、印刷位置の微妙なずれも修正することができ、より好適な印刷が可能となる。
【先行技術文献】
【特許文献】
【０００５】
【特許文献１】特開２００４−１２２５８２号公報
【考案の概要】
【考案が解決しようとする課題】
【０００６】
しかしながら、こうした従来の技術は、いずれも、単一の被印刷物に印刷する場合だけを想定している。しかし、最近は、印刷効率の向上のために、複数の被印刷物それぞれに同じ画像を、同じ印刷工程で印刷する印刷システムも知られている。かかるシステムにおいて、印刷位置のずれ量は、被印刷物ごとに微妙に異なっている。そのため、従来技術のように、一つの被印刷物におけるずれ量を設定するだけでは、好適な印刷はできない。
【０００７】
そこで、本考案は、複数の印刷領域（被印刷物）それぞれに対して、互いに同じ画像の印刷を施す場合に、より好適に印刷でき得る印刷システムを提供することを目的とする。
【課題を解決するための手段】
【０００８】
本考案の印刷システムは、互いに同一形状である複数の印刷領域それぞれに対して、互いに同じ画像の印刷を施す印刷システムであって、ユーザからの指示を受け付けるＵＩ部と、前記ＵＩ部を介して入力されたユーザの指示に基づいて、前記印刷領域への印刷処理を行う印刷手段と、を備え、前記ＵＩ部は、位置補正を行う印刷領域と、その補正量および補正方向の指示を受け付け、前記印刷手段は、前記ＵＩ部を介して指示された印刷領域の位置を、指示された補正量および補正方向に応じて補正して、印刷処理を施す、ことを特徴とする。
【０００９】
好適な態様では、前記ＵＩ部は、さらに、校正用印刷の実行指示も受け付け、前記印刷手段は、前記ＵＩ部を介して前記校正用印刷の実行指示が入力された場合、前記複数の印刷領域それぞれに対して、印刷領域の位置を示す校正用画像の印刷を施す。
【００１０】
他の好適な態様では、前記複数の印刷領域は、２以上のグループに分割されており、前記ＵＩ部は、印刷領域の位置の補正を行うグループと、その補正量および補正方向の入力を受け付け、前記印刷手段は、前記ＵＩ部を介して指定されたグループに属する全ての印刷領域への印刷位置を、指定された補正量および補正方向に応じて補正して、印刷処理を施す、ことを特徴とする。この場合、前記複数の印刷領域は、被印刷物がセットされる印刷トレイの進退方向と平行な対象軸を中心として線対称に配置されるとともに、前記対象軸を境界として二つのグループに分割されている、ことが望ましい。
【００１１】
他の好適な態様では、前記ＵＩ部は、さらに、サイズの補正を行う印刷領域と、その補正量および補正方向の指定を受け付け、前記印刷手段は、前記ＵＩ部を介して指定された印刷領域への印刷画像のサイズを、指定された補正量および補正方向に応じて補正して、印刷処理を施す。
【考案の効果】
【００１２】
本考案によれば、複数の印刷領域について位置を補正できるため、より好適に印刷できる。
【図面の簡単な説明】
【００１３】
【図１】印刷システムの構成ブロック図である。
【図２】印刷機構の構成を示す図である。
【図３】印刷トレイの上面図である。
【図４】被印刷物の斜視図である。
【図５】印刷領域の位置補正の様子を示す図である。
【図６】印刷位置の設定画面の図である。
【図７】印刷領域のサイズ補正の様子を示す図である。
【図８】印刷長さの設定画面の図である。
【考案を実施するための形態】
【００１４】
以下、本考案の実施形態について図面を参照して説明する。図１は、本考案の実施形態である印刷システム１０の構成ブロック図である。この印刷システム１０は、互いに同形状の複数の被印刷物１００それぞれに、同じ画像を印刷するシステムで、パーソナルコンピュータ（以下「ＰＣ」という）１２と、当該ＰＣ１２に接続された印刷装置１４と、から構成される。
【００１５】
ユーザは、主に、ＰＣ１２を操作して、印刷装置１４に対する各種指示を行う。印刷装置１４は、通信インターフェース（以下「Ｉ／Ｆ」という）１９，４６を介してＰＣ１２から入力された指示に従い、印刷処理を実行する。
【００１６】
ＰＣ１２は、通常のＰＣと同様、ＣＰＵ、メモリ１８、ハードディスクドライブ（以下「ＨＤＤ」という）２４、表示部２０や入力手段２２（マウスやキーボードなど）、Ｉ／Ｆ１９などを備えているが、以下では、画像印刷に特に関係する構成について説明する。
【００１７】
ＰＣ１２のＨＤＤ２４には、プリンタドライバ２６や、印刷アプリケーション２８などのソフトウェアがインストールされている。制御部１６は、必要に応じて、これらソフトウェアをメモリ１８上に読み出し、実行する。印刷アプリケーション２８を実行することで、被印刷物１００に印刷すべき画像の選択や、編集、印刷イメージの表示などが行える。
【００１８】
プリンタドライバ２６は、印刷装置用のデータ生成を行うソフトウェアである。このプリンタドライバ２６の設定画面において、印刷時の各種設定が受け付けられる。ここで、行われる印刷設定としては、印刷個数等の基本設定の他、カラーバランスやカラーマッチングなどがある。また、本実施形態では、印刷位置、印刷長さの設定も行えるようにしているが、これについては、後に詳説する。印刷指示を受けた場合、プリンタドライバ２６は、印刷アプリケーション２８で設定された印刷画像を、印刷設定に従って加工したうえで、印刷装置用のデータに変換する。変換された印刷装置用データはＩ／Ｆ１９，４６を介して印刷装置１４に送られる。なお、一度、設定された各種印刷設定は、ＨＤＤ２４に「印刷設定ファイル」３２として記憶される。ＨＤＤ２４には、これ以外にも、印刷に用いる画像データ３０なども記憶されている。
【００１９】
制御部１６は、必要に応じて、印刷アプリケーション２８やプリンタドライバ２６を読み込んで実行する。そして、ユーザから印刷が指示されれば、プリンタドライバ２６の実行により生成された印刷用データを、Ｉ／Ｆ１９，４６を介して印刷装置１４に送る。
【００２０】
表示部２０は、印刷アプリケーション２８やプリンタドライバ２６の実行により生成される各種操作画面や設定画面を表示する。ユーザは、この表示部２０に表示される表示画面を参照しながら、マウスやキーボードといった入力手段２２を操作して、印刷画像の選択や編集、印刷設定、印刷指示などを行う。つまり、この表示部２０やマウス、キーボード、および、各種ソフトウェアにより生成される画面が、ユーザからの操作指示を受け付けるユーザインターフェース部（以下「ＵＩ部」という）となる。
【００２１】
印刷装置１４は、ＣＰＵなどから構成される制御部４０、制御プログラムが記録されたＲＯＭ４３、印刷画像データなどを一時記録するＲＡＭ４２、制御部４０の指示に従い印刷処理を実行する印刷機構４４などを備えている。
【００２２】
ＰＣ１２からは、印刷装置用にデータ変換された印刷画像データが印刷指示とともに送られる。印刷装置１４の制御部４０は、この印刷指示に従って、印刷機構４４を駆動し、被印刷物１００への印刷を実行する。
【００２３】
印刷機構４４は、互いに同形状の複数の被印刷物１００に、同じ画像を印刷できるようになっている。図２は、この印刷機構４４の概略構成図である。この印刷機構４４は、印刷画像に応じて、インクリボン５０のインクを熱により溶融し、この溶融インクを中間転写シート５２を介して、被印刷物１００に転写する熱転写方式で印刷を行う。被印刷物１００は、装置の内外に進退する印刷トレイ５４上にセットされている。本実施形態では、一つの印刷トレイ５４に複数の被印刷物１００がセットされる。
【００２４】
図３は、被印刷物１００がセットされた印刷トレイ５４の上面図である。また、図４は、本実施形態で取り扱う被印刷物１００の斜視図である。本実施形態では、記録媒体、具体的にはＵＳＢメモリ１２０のカバーを被印刷物１００としている。このカバーは、上側の平板と下側の平板とを円弧状の片で接続した側面視略Ｕ字形状となっている。カバーは、回転軸１０２を中心として、メモリ本体１１０に対して回動自在となっている。印刷の際、このカバー（被印刷物１００）は、メモリ本体１１０から取り外された状態で印刷トレイ５４にセットされる。
【００２５】
印刷トレイ５４の表面には、この略Ｕ字上の被印刷物の上側の平板（または下側の平板）が載置される凹部が形成されている。この凹部は、被印刷物１００の上側の平板（または下側の平板）に対応した形状を有している。また、印刷トレイ５４の側面には、印刷が施されない被印刷物１００の下側の平板（または上側の平板）を収容する横穴が形成されている。印刷の際には、被印刷物１００の上側の平板（または下側の平板）が凹部に、被印刷物１００の下側の平板（または上側の平板）が横穴に収容されるように、被印刷物１００が、横方向（図３における左右方向）から印刷トレイ５４に差し込まれる。そして、凹部に、被印刷物１００の上側の平板（または下側の平板）を載置することにより、印刷装置１４に対する被印刷物１００の相対位置がおおよそ規定される。
【００２６】
図３から明らかなとおり、本実施形態では、一つの印刷トレイ５４に、六つの被印刷物１００がセットできるようになっている。六つの被印刷物１００は、トレイ進退方向に平行な対象軸を中心に線対称に並んでいる。すなわち、六つの被印刷物１００のうち三つの被印刷物１００は、印刷トレイ５４の左側端部においてトレイ進行方向（印刷の進行方向）に三つずつ一列に並び、残りの三つの被印刷物１００は、印刷トレイ５４の右側端部においてトレイ進行方向に三つずつ一列に並んでいる。
【００２７】
このように印刷トレイ５４上にセットされた被印刷物１００の露出面が印刷領域となる。印刷機構４４は、印刷トレイ５４にセットされた被印刷物１００の露出面に印刷を施す。したがって、印刷装置１４全体、および、印刷装置用のデータを生成するプリンタドライバ２６やＰＣ１２の制御部１６が、ＵＩ部を介して入力されたユーザの指示に基づいて印刷領域への印刷処理を行う印刷手段として機能する。この印刷手段は、さらに、実際に印刷を施す印刷機構４４と、印刷機構４４の駆動を制御する制御手段とに大別される。制御手段は、印刷用データを生成するＰＣ１２のプリンタドライバ２６や制御部１６、印刷装置１４の制御部１６などが該当する。
【００２８】
ここで、この六つの印刷領域（被印刷物１００）の位置は、設計段階において、予め規定されており、当該規定どおりになるように印刷機構４４が組み立てられる。印刷アプリケーション２８および印刷ドライバは、初期設定の段階では、この設計上の印刷領域の位置に、画像が印刷されるように印刷画像データを生成する。
【００２９】
しかし、印刷機構４４を構成する各部材の組み付け誤差やガタに起因して、実際の印刷領域位置と、設計上の印刷領域位置（システム側で認識している位置）とがズレることがある。かかる場合において、設計上の印刷領域（システム側で認識している印刷領域）に画像を印刷すると、被印刷物１００に対する画像の位置がズレてしまい、見栄えが悪くなってしまう。
【００３０】
そこで、本実施形態では、ＵＩ部に、印刷領域のズレの補正指示を受け付ける機能を持たせるとともに、指示された補正量および補正方向に応じて印刷領域の位置をずらして（補正して）印刷するようにしている。
【００３１】
図５は、この補正の様子を示す図であり、太線は実際の印刷領域６０（被印刷物１００）の位置を、破線はシステム側で認識している印刷領域６２の位置を、細実線は印刷画像６４の位置を、それぞれ示している。本実施形態では、図５に示すように、六つの印刷領域を、左右二つのグループに分け、各グループごとに印刷領域の位置（印刷位置）を補正できるようにしている。この印刷領域の位置補正は、印刷トレイ５４の進退方向について行われる。すなわち、本実施形態では、印刷領域を、図５の矢印Ａ方向、または、Ｂ方向に移動させることができる。したがって、図５の左側に示すように、システム側で認識している印刷領域６２が、実際の印刷領域６０（被印刷物１００）に対して矢印Ａ方向にずれている場合には、印刷画像６４も、実際の印刷領域に対して、矢印Ａ方向にズレることになり、見栄えが悪くなる。そのため、この場合には、システム側で認識している印刷領域６２を矢印Ｂ方向に移動させる補正処理を行う。また、図５の右側に示すように、システム側で認識している印刷領域６２が、実際の印刷領域６０（被印刷物１００）に対して矢印Ｂ方向にずれている場合には、システム側で認識している印刷領域６２を矢印Ａ方向に移動させる補正処理を行う。
【００３２】
こうした補正指示は、プリンタドライバ２６の実行により表示される設定画面で行われる。図６は、設定画面７０を示す図である。設定画面には、グループ「ＬＥＦＴ」および「ＲＩＧＨＴ」ごとに、補正量の設定ボックス７２が設けられており、この設定ボックス７２に入力された数値に応じて、システム側で認識している印刷領域６２の位置が補正される。設定された数値が正の値であれば矢印Ａ方向に、負の値であれば矢印Ｂ方向に印刷領域６２が移動される。つまり、設定ボックス７２においては、補正量および補正方向が指示される。
【００３３】
設定画面の中央には、印刷トレイ５４のイメージ図７４が描かれる。このイメージ図７４にはグループを示す矩形、および、補正の方向と符号（＋または−）の関係を示す図が描かれている。かかるイメージ図７４を表示することで、設定ボックス７２において設定されるパラメータの意味を、ユーザが容易に理解することができる。
【００３４】
ここで設定された設定内容は、印刷設定ファイル３２に記録される。プリンタドライバ２６は、印刷装置用データを生成する際には、この印刷設定ファイル３２に記録された補正量等に基づいて、印刷領域６２（印刷画像６４）の位置を補正する。
【００３５】
これにより、被印刷物１００に対する印刷画像のズレを訂正でき、より好適な印刷が可能となる。なお、本実施形態において、印刷領域を左右二つのグループに分け、グループ単位で補正を行うのは次の理由による。一般に、ズレに対して、より柔軟性に対応するためには、各印刷領域ごとにズレの補正ができることが望ましい。しかし、現実的には、印刷領域のズレは、おもに、トレイ進退方向に並ぶ列ごとに生じており、列ごとに補正できるのであれば、個別に補正できなくても、大きな問題にならないことが挙げられる。
【００３６】
印刷領域のズレが列ごとに生じる原因としては、次のことが考えられる。印刷領域のズレは、印刷機構４４を構成する各部材の組み付け誤差やガタが原因であるが、その中でも、印刷トレイ５４の傾きが特に支配的であると推測されている。すなわち、印刷機構４４において、印刷トレイ５４の中心軸Ｌｏが、図３における軸Ｌ１になるような印刷トレイ５４の傾きが生じていると推測できる。この場合、当然、左側の印刷領域は矢印Ｂ方向に、右側の印刷領域は矢印Ａ方向にずれるという列ごとのズレが生じる。このようにズレが列ごとに生じている場合には、列ごとの補正でも十分な効果が得られる。また、列ごとの補正の場合、決定すべきパラメータ（補正量）の数が少なくなるため、ユーザは簡易な操作でズレを補正できる。
【００３７】
ところで、ユーザが補正量を設定するためには、予め、システム側が認識している印刷領域６２と、実際の印刷領域６０とのズレ量をユーザが把握する必要がある。このズレ量は、実際に印刷された結果を見て判断することができるが、印刷される画像の内容によっては、ズレ量を正確に把握することが困難な場合がある。そこで、本実施形態では、ユーザから校正指示があった場合には、ズレ量をより簡易に把握でき得る校正用画像を印刷する校正用印刷が出来るようにしている。
【００３８】
すなわち、プリンタドライバ２６の実行により表示される印刷設定画面において、「校正用印刷」のメニューを用意しておき、当該メニューが選択された場合には、校正用印刷を実行する。校正用印刷では、ズレ量をより簡易に把握でき得る校正用画像が印刷される。校正用画像の形態としては、種々の形態が考えられるが、本実施形態では、図５において、破線で示した（システム側で認識している）印刷領域６２の外形線、および、細線で示した印刷画像６４の範囲からなる画像を、校正用画像として用いる。
【００３９】
システム側で認識している印刷領域６２の位置と、実際の印刷領域６０（被印刷物１００）の位置が一致している場合には、破線で示される印刷領域６２の外形線は、被印刷物１００の周縁と一致し、殆ど目視できないことになる。一方、両者の位置がズレている場合は、被印刷物１００の表面に破線の外形線が印刷されることになる。この破線と被印刷物１００の周縁との距離がズレ量になる。したがって、ユーザは、この破線と被印刷物１００の周縁との距離を測定することで、ズレ量を容易に把握することができる。
【００４０】
なお、ここで示した校正用画像は、一例であり、ユーザが印刷領域６２の位置を認識でき得るのであれば、適宜、他の画像に変更されてもよい。例えば、印刷領域６２の外形線に代えて、印刷領域の中心線などの基準位置を示す画像を校正用画像として用いてもよい。また、本実施形態の校正用画像は、外形線を一本のみ含んでいるが、印刷トレイ５４の進退方向に微小距離ずつズラして配置され、かつ、互いに異なる色の複数の外形線を含むようにしてもよい。そして、印刷後、被印刷物１００の周縁と一致する外形線の色を確認することで、補正量の値を導けるようにしてもよい。
【００４１】
また、本実施形態では、補正量をユーザが確認するようにしているが、システム側に、印刷トレイ５４の表面を撮影する撮影手段と、撮影により得られた画像を解析する解析部と、を設け、システム側で補正量を自動的に取得するようにしてもよい。例えば、「校正用印刷」のメニューが選択されれば、校正用画像の印刷処理を実行する。そして、その後、印刷トレイ５４の上側に設けられたカメラで、印刷結果を撮影する。撮影により得られた画像データを、印刷装置１４の制御部４０、または、ＰＣ１２の制御部１６で構成される画像解析部に送る。画像解析部では、得られた画像データから、（システム側で認識している）印刷領域６２の外形線と、被印刷物１００の周縁との間隔を測定する。そして、測定の結果、得られるズレ量に相当する値を、補正量として印刷設定ファイル３２に記録する。
【００４２】
また、本実施形態では、印刷位置に加えて、システム側で認識している印刷領域６２の印刷トレイ５４の進退方向の大きさ（印刷長さ）も補正できるようにしている。図７は、印刷長さの補正の様子を示すイメージ図である。また、プリンタドライバ２６の実行により表示される図８は印刷長さの設定画面である。
【００４３】
印刷長さの補正においては、予め規定された基準ラインＭを基準として、一つのグループに属する印刷領域６２の長さが補正される。設定画面において、正の値が設定されれば、印刷長さは拡大され、負の値が設定されれば印刷長さは縮小される。ユーザは、かかる印刷長さを補正することで、印刷領域６２の位置の補正だけでは、調整しきれない、印刷領域のずれを調整する。
【００４４】
すなわち、印刷領域６２のズレの態様によって、図７の左側に示すように、手前側（図７の下側）から奥側（図７の上側）に進むにつれ、印刷領域６２のズレ量が大きくなるような場合がある。かかる場合でも、印刷領域６２のズレ量を各印刷領域６２ごとに補正できる構成であれば、問題ない。しかし、本実施形態のように、グループごとに補正する構成において、位置補正のみで、かかるズレを解消または低減することは困難であった。すなわち、この場合において、奥側のズレ量を吸収するために印刷領域６２の位置を奥側に補正（移動）すれば、手前側の印刷領域６２におけるズレ量が大きくなる。逆に、印刷領域６２の位置を補正（移動）しなければ、手前側の印刷領域６２のズレ量は抑えられるが、奥側の印刷領域６２のズレ量が大きくなる。
【００４５】
かかる場合には、印刷長さを補正することが望ましい。図７の左側に示すように、手前側から奥側に進むにつれ、印刷領域６２が奥側にズレるような場合には、印刷長さが小さくなるように補正する。これにより、図７の右側に示すように、奥側の印刷領域６２のズレ量が低減される。
【００４６】
図８は、この印刷長さの設定画面の図である。印刷長さの設定画面７０の中央には、印刷トレイ５４のイメージ図７４が描かれている。このイメージ図の７４中には、グループを示す矩形や、長さ調整の基準ライン、設定パラメータの符号の意味を示す図などが描かれている。また、イメージ図７４の下側には、印刷長さの補正量を入力する設定ボックス７２が設けられており、当該ボックス７２に入力される数値に応じて、印刷領域の長さが変更される。
【００４７】
このように、印刷領域の位置に加えて、印刷領域のトレイ進退方向の長さも調整できるようにすることで、より確実に、実際の印刷領域６０に対する印刷画像６２のズレを低減することができ、より好適な印刷が可能となる。
【００４８】
なお、ここまで、説明した構成は、一例であり、少なくとも、複数の印刷領域の位置の補正指示を受け付けるＵＩ部、および、指示に応じて印刷領域を補正して印刷する印刷手段を備えるのであれば、その他の構成は、適宜、変更されてもよい。例えば、本実施形態では、複数の印刷領域を二つのグループに分けたが、より多数のグループに分けてもよいし、上下にグループ分けしてもよい。また、グループ分けせず、各印刷領域ごとに、位置や長さを補正できるようにしてもよい。また、印刷領域は、トレイ進退方向だけでなく、トレイ進退方向に対して直交方向（図５におけるＣ方向、Ｄ方向）に補正できるようにしてもよい。
【００４９】
また、本実施形態では、複数の印刷領域それぞれに対して互いに異なる画像の印刷を施しているが、複数の印刷領域に印刷する画像は互いに異なるものであってもよく、例えば、図５において、右側のグループの印刷領域に表面の画像を印刷し、左側のグループの印刷領域に裏面の画像を印刷するといった設定を行ってもよい。どの印刷領域にどのような画像を印刷するかは、ユーザが自由に設定できるものである。
【００５０】
また、本実施形態では、設定された印刷位置や印刷長さに応じて、プリンタドライバ２６側（ＰＣ１２側）で印刷画像の修正（印刷領域の位置や長さの修正）を行っているが、印刷設定データを印刷装置１４側に送り、印刷装置１４側で印刷画像の修正を行ってもよい。また、本実施形態では、ＰＣ１２と印刷装置１４からなる印刷システム１０を例示したが、単独の装置から印刷システム１０を構成してもよい。すなわち、一つの印刷装置１４に、ユーザからの指示を受け付けるＵＩ部や、画像編集機能などを設けておき、ＰＣ１２と接続しなくても、一つの印刷装置１４単独で、印刷処理が実行できるようにしてもよい。
【００５１】
また、印刷方式は、熱転写印刷に限らず、他の印刷方式、例えば、インクジェット印刷などであってもよい。さらに、本実施形態では、被印刷物として、ＵＳＢメモリのカバーを用いているが、当然、他の物品、例えば、フラッシュメモリ媒体など、他の記録媒体を被印刷物としてもよい。
【符号の説明】
【００５２】
１０  印刷システム、１４  印刷装置、１６  制御部、１８  メモリ、２０  表示部、２２  入力手段、２６  プリンタドライバ、２８  印刷アプリケーション、３０  画像データ、３２  印刷設定ファイル、４０  制御部、４４  印刷機構、５４  印刷トレイ、６０  実際の印刷領域、６２  システム側が認識している印刷領域、６４  印刷画像、７０  設定画面、７２  設定ボックス、７４  イメージ図、１００  被印刷物、１１０  メモリ本体。
【図１】
0003174681.tif 000003
【図２】
0003174681.tif 000004
【図３】
0003174681.tif 000005
【図４】
0003174681.tif 000006
【図５】
0003174681.tif 000007
【図６】
0003174681.tif 000008
【図７】
0003174681.tif 000009
【図８】
0003174681.tif 000010
【手続補正書】
【提出日】平成24年1月27日(2012.1.27)
【手続補正１】
【補正対象書類名】明細書
【補正対象項目名】０００６
【補正方法】変更
【補正の内容】
【０００６】
しかしながら、こうした従来の技術は、いずれも、単一の被印刷物に印刷する場合だけを想定している。しかし、最近は、印刷効率の向上のために、複数の被印刷物それぞれに同じ画像あるいは異なる画像を、同じ印刷工程で印刷する印刷システムも知られている。かかるシステムにおいて、印刷位置のずれ量は、被印刷物ごとに微妙に異なっている。そのため、従来技術のように、一つの被印刷物におけるずれ量を設定するだけでは、好適な印刷はできない。
【手続補正２】
【補正対象書類名】明細書
【補正対象項目名】０００７
【補正方法】変更
【補正の内容】
【０００７】
そこで、本考案は、複数の印刷領域（被印刷物）それぞれに対して画像の印刷を施す場合に、より好適に印刷でき得る印刷システムを提供することを目的とする。
【手続補正３】
【補正対象書類名】明細書
【補正対象項目名】０００８
【補正方法】変更
【補正の内容】
【０００８】
本考案の印刷システムは、互いに同一形状である複数の印刷領域それぞれに対して画像の印刷を施す印刷システムであって、ユーザからの指示を受け付けるＵＩ部と、前記ＵＩ部を介して入力されたユーザの指示に基づいて、前記印刷領域への印刷処理を行う印刷手段と、を備え、前記ＵＩ部は、位置補正を行う印刷領域と、その補正量および補正方向の指示を受け付け、前記印刷手段は、前記ＵＩ部を介して指示された印刷領域の位置を、指示された補正量および補正方向に応じて補正して、印刷処理を施す、ことを特徴とする。
【手続補正４】
【補正対象書類名】明細書
【補正対象項目名】００４９
【補正方法】変更
【補正の内容】
【００４９】
また、本実施形態では、複数の印刷領域それぞれに対して互いに同じ画像の印刷を施しているが、複数の印刷領域に印刷する画像は互いに異なるものであってもよく、例えば、図５において、右側のグループの印刷領域に表面の画像を印刷し、左側のグループの印刷領域に裏面の画像を印刷するといった設定を行ってもよい。どの印刷領域にどのような画像を印刷するかは、ユーザが自由に設定できるものである。